【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
映像信号に含まれる画像中の画素の輝度値の最小値及び最大値を検出する検出手段と、
前記検出手段で検出した輝度値の最小値及び最大値に基づいて、階調変換における入力輝度値と出力輝度値の関係を示す階調変換カーブを作成する作成手段と、
前記画像の輪郭を強調するエンハンサ処理の強度を示すエンハンサ強度に応じて、前記画像に対してエンハンサ処理を行う処理手段と、
前記作成手段により作成された前記階調変換カーブを用いて、前記処理手段による前記エンハンサ処理を行った画像に対して階調変換を行う階調変換手段と、
を有し、
前記検出手段で検出された輝度値の最小値及び最大値は、前記エンハンサ強度に応じて変更され、
前記作成手段は、変更後の変更最小値及び変更最大値を用いて、前記階調変換カーブを作成する
ことを特徴とする画像処理装置。
【請求項２】
前記エンハンサ強度が強いほど、前記変更最小値は、前記検出手段で検出した輝度値の最小値に対して小さくなり、前記変更最大値は、前記検出手段で検出した輝度値の最大値に対して大きくなる
ことを特徴とする請求項１に記載の画像処理装置。
【請求項３】
前記検出手段で検出された輝度値の最小値及び最大値は、前記エンハンサ強度及び前記画像に含まれるエッジ部分の強度を示すエッジ強度に応じて変更され、
前記作成手段は、前記変更後の変更最小値及び変更最大値を用いて、前記階調変換カーブを作成する
ことを特徴とする請求項１または２に記載の画像処理装置。
【請求項４】
前記検出手段は、前記映像信号に含まれる画像の輝度値からヒストグラムを作成し、前記最小値及び最大値を検出する
ことを特徴とする請求項１から３のいずれか１項に記載の画像処理装置。
【請求項５】
映像信号に対してＩＰ変換を行うＩＰ変換手段を更に有し、
前記処理手段は、前記ＩＰ変換手段でＩＰ変換を行った映像信号に対してエンハンサ処理を行う
ことを特徴とする請求項１に記載の画像処理装置。
【請求項６】
映像信号に含まれる画像中の画素の輝度値からヒストグラムを検出する第１検出手段と、
前記第１検出手段で検出したヒストグラムをローパスフィルタで補正する補正手段と、
前記補正手段によりローパスフィルタで補正されたヒストグラムにおける輝度値の最小値及び最大値を検出する第２検出手段と、
前記第２検出手段で検出された前記最小値及び最大値に基づいて、階調変換における入力輝度値と出力輝度値の関係を示す階調変換カーブを作成する作成手段と、
前記画像の輪郭を強調するエンハンサ処理の強度を示すエンハンサ強度に応じて、前記画像に対してエンハンサ処理を行う処理手段と、
前記作成手段により作成された前記階調変換カーブを用いて、前記処理手段による前記エンハンサ処理を行った画像に対して階調変換を行う階調変換手段と、
を有することを特徴とする画像処理装置。
【請求項７】
前記エンハンサ強度が大きくなる程、前記ローパスフィルタの係数が大きくなる
ことを特徴とする請求項６に記載の画像処理装置。
【請求項８】
検出手段が、映像信号に含まれる画像中の画素の輝度値の最小値及び最大値を検出する検出ステップと、
作成手段が、前記検出ステップで検出した輝度値の最小値及び最大値に基づいて、階調変換における入力輝度値と出力輝度値の関係を示す階調変換カーブを作成する作成ステップと、
処理手段が、前記画像の輪郭を強調するエンハンサ処理の強度を示すエンハンサ強度に応じて、前記画像に対してエンハンサ処理を行う処理ステップと、
階調変換手段が、前記作成ステップにより作成された前記階調変換カーブを用いて、前記処理ステップによる前記エンハンサ処理を行った画像に対して階調変換を行う階調変換ステップと、
を有し、
前記検出ステップで検出された輝度値の最小値及び最大値は、前記エンハンサ強度に応じて変更され、
前記作成ステップでは、変更後の変更最小値及び変更最大値を用いて、前記階調変換カーブが作成される
ことを特徴とする画像処理方法。
【請求項９】
第１検出手段が、映像信号に含まれる画像中の画素の輝度値からヒストグラムを検出する第１検出ステップと、
補正手段が、前記第１検出ステップで検出したヒストグラムをローパスフィルタで補正する補正ステップと、
第２検出手段が、前記補正ステップにてローパスフィルタで補正されたヒストグラムにおける輝度値の最小値及び最大値を検出する第２検出ステップと、
作成手段が、前記第２検出ステップで検出された前記最小値及び最大値に基づいて、階調変換における入力輝度値と出力輝度値の関係を示す階調変換カーブを作成する作成ステップと、
処理手段が、前記画像の輪郭を強調するエンハンサ処理の強度を示すエンハンサ強度に応じて、前記画像に対してエンハンサ処理を行う処理ステップと、
階調変換手段が、前記作成ステップで作成された前記階調変換カーブを用いて、前記処理ステップにおいて前記エンハンサ処理を行った画像に対して階調変換を行う階調変換ス
テップと、
を有することを特徴とする画像処理方法。
【手続補正２】
【補正対象書類名】明細書
【補正対象項目名】００１０
【補正方法】変更
【補正の内容】
【００１０】
上記目的を達成するために、本発明の第一の発明では、以下の構成を採用する。すなわち、映像信号に含まれる画像中の画素の輝度値の最小値及び最大値を検出する検出手段と、前記検出手段で検出した輝度値の最小値及び最大値に基づいて、階調変換における入力輝度値と出力輝度値の関係を示す階調変換カーブを作成する作成手段と、前記画像の輪郭を強調するエンハンサ処理の強度を示すエンハンサ強度に応じて、前記画像に対してエンハンサ処理を行う処理手段と、前記作成手段により作成された前記階調変換カーブを用いて、前記処理手段による前記エンハンサ処理を行った画像に対して階調変換を行う階調変換手段と、を有し、前記検出手段で検出された輝度値の最小値及び最大値は、前記エンハンサ強度に応じて変更され、前記作成手段は、変更後の変更最小値及び変更最大値を用いて、前記階調変換カーブを作成することを特徴とする画像処理装置である。
【手続補正３】
【補正対象書類名】明細書
【補正対象項目名】００１１
【補正方法】変更
【補正の内容】
【００１１】
また本発明の第二の発明では、以下の構成を採用する。すなわち、映像信号に含まれる画像中の画素の輝度値からヒストグラムを検出する第１検出手段と、前記第１検出手段で検出したヒストグラムをローパスフィルタで補正する補正手段と、前記補正手段によりローパスフィルタで補正されたヒストグラムにおける輝度値の最小値及び最大値を検出する第２検出手段と、前記第２検出手段で検出された前記最小値及び最大値に基づいて、階調変換における入力輝度値と出力輝度値の関係を示す階調変換カーブを作成する作成手段と、前記画像の輪郭を強調するエンハンサ処理の強度を示すエンハンサ強度に応じて、前記画像に対してエンハンサ処理を行う処理手段と、前記作成手段により作成された前記階調変換カーブを用いて、前記処理手段による前記エンハンサ処理を行った画像に対して階調変換を行う階調変換手段と、を有することを特徴とする画像処理装置である。
【手続補正４】
【補正対象書類名】明細書
【補正対象項目名】００１２
【補正方法】変更
【補正の内容】
【００１２】
また本発明の第三の発明では、以下の構成を採用する。すなわち、検出手段が、映像信号に含まれる画像中の画素の輝度値の最小値及び最大値を検出する検出ステップと、作成手段が、前記検出ステップで検出した輝度値の最小値及び最大値に基づいて、階調変換における入力輝度値と出力輝度値の関係を示す階調変換カーブを作成する作成ステップと、
処理手段が、前記画像の輪郭を強調するエンハンサ処理の強度を示すエンハンサ強度に応じて、前記画像に対してエンハンサ処理を行う処理ステップと、階調変換手段が、前記作成ステップにより作成された前記階調変換カーブを用いて、前記処理ステップによる前記エンハンサ処理を行った画像に対して階調変換を行う階調変換ステップと、を有し、前記検出ステップで検出された輝度値の最小値及び最大値は、前記エンハンサ強度に応じて変更され、前記作成ステップでは、変更後の変更最小値及び変更最大値を用いて、前記階調変換カーブが作成されることを特徴とする画像処理方法である。
【手続補正５】
【補正対象書類名】明細書
【補正対象項目名】００１３
【補正方法】変更
【補正の内容】
【００１３】
また本発明の第四の発明では、以下の構成を採用する。すなわち、第１検出手段が、映像信号に含まれる画像中の画素の輝度値からヒストグラムを検出する第１検出ステップと、補正手段が、前記第１検出ステップで検出したヒストグラムをローパスフィルタで補正する補正ステップと、第２検出手段が、前記補正ステップにてローパスフィルタで補正されたヒストグラムにおける輝度値の最小値及び最大値を検出する第２検出ステップと、作成手段が、前記第２検出ステップで検出された前記最小値及び最大値に基づいて、階調変換における入力輝度値と出力輝度値の関係を示す階調変換カーブを作成する作成ステップと、処理手段が、前記画像の輪郭を強調するエンハンサ処理の強度を示すエンハンサ強度に応じて、前記画像に対してエンハンサ処理を行う処理ステップと、階調変換手段が、前記作成ステップで作成された前記階調変換カーブを用いて、前記処理ステップにおいて前記エンハンサ処理を行った画像に対して階調変換を行う階調変換ステップと、を有することを特徴とする画像処理方法である。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】